(57)【特許請求の範囲】
【請求項１】
画像のカラー出力を禁止するか否かを示す出力条件情報を予め登録する登録部と、
入力画像データに企業ロゴまたは企業マークの画像データが含まれているか否かを、前記入力画像データに基づく画像内のオブジェクトの形状に対するパターンマッチングで判定する判定部と、
前記判定部により前記入力画像データに前記企業ロゴまたは前記企業マークの画像データが含まれていると判定された場合、前記出力条件情報が画像のカラー出力を禁止することを示しているときは、前記入力画像データに含まれる前記企業ロゴまたは前記企業マークの画像データに基づく画像についてはカラーで、前記入力画像データに含まれる前記企業ロゴまたは前記企業マークの画像データ以外の画像データに基づく画像についてはモノクロで、前記入力画像データの画像出力を実行する画像出力部と、
前記企業ロゴまたは前記企業マークの標準色情報を記憶する記憶部と、
プリンターと、
前記企業ロゴまたは前記企業マークの色の候補となる複数の色が配置されているシートを前記プリンターに印刷させ、当該シートに配置されている前記複数の色の中からユーザーによって選択された色を表す色情報を前記標準色情報として前記記憶部に記憶する設定部とを備え、
前記標準色情報は、（ａ）前記企業ロゴまたは前記企業マークの画像データを構成する領域毎に記憶され、（ｂ）前記プリンターにより使用されるトナー色の色空間の値であり、
前記画像出力部は、（ａ）前記プリンターで前記カラー出力および前記モノクロ出力を実行し、（ｂ）前記企業ロゴまたは前記企業マークの画像データに基づく画像について、前記入力画像データ内の前記企業ロゴまたは前記企業マークの画像データによる色に拘わらず、前記領域毎の前記標準色情報が示す色によるカラー出力を実行し、
前記設定部は、（ａ）企業ロゴまたは企業マークの画像であるロゴ画像が印刷されている登録用紙からスキャナーで読み取られた前記ロゴ画像の色情報のＲＧＢ値から、前記プリンターにより使用されるトナー色の色空間の各要素についての、前記ロゴ画像の色情報の値を特定し、（ｂ）前記プリンターにより使用されるトナー色の色空間における各要素の値を前記ロゴ画像の色情報の値から段階的に変化させたものを、前記シートに配置すべき、前記企業ロゴまたは前記企業マークの色の候補となる前記複数の色とし、
前記設定部は、ユーザー毎または部門毎に、前記画像のカラー出力を禁止するか否かを設定し、
前記判定部は、前記入力画像データに前記企業ロゴまたは前記企業マークの画像データが含まれているか否かを、前記入力画像データに基づく画像内のオブジェクトの形状に対するパターンマッチングで判定する際に、前記オブジェクトの形状についての誤差を許容して判定すること、
を特徴とする画像形成装置。
【請求項２】
前記記憶部は、前記企業ロゴまたは前記企業マークの画像の縦および横の画素数を示すロゴ特定情報を記憶し、
前記判定部は、前記ロゴ特定情報により示される前記縦および横の画素数に合わせて前記オブジェクトのサイズを調整し、サイズ調整後の前記オブジェクトの形状に対するパターンマッチングで、前記入力画像データに前記企業ロゴまたは前記企業マークの画像データが含まれているか否かを判定すること、
を特徴とする請求項１記載の画像形成装置。
【請求項３】
前記企業ロゴまたは前記企業マークの画像データに基づきカラー出力される画像のサイズは、前記ロゴ特定情報により示されるサイズに変換されることを特徴とする請求項２記載の画像形成装置。
【請求項４】
前記判定部は、前記入力画像データのうち、ヘッダー部および／またはフッター部の画像データに対してのみ、前記企業ロゴまたは前記企業マークの画像データが含まれているか否かを判定することを特徴とする請求項１から請求項３のうちのいずれか１項記載の画像形成装置。
【発明の詳細な説明】
【技術分野】
【０００１】
本発明は、画像形成装置に関するものである。
【背景技術】
【０００２】
ある画像形成装置は、部門毎のＩＤ（Identification）を用いてプリント枚数や複写枚数を管理し、ユーザーに応じてカラー出力を禁止する（例えば、特許文献１参照）。
【０００３】
また、ある画像形成装置は、カラー出力が許可されていないユーザーからのカラー出力の要求があった場合、カラー画像をモノクロ画像に変換してモノクロ出力する（例えば、特許文献２参照）。
【先行技術文献】
【特許文献】
【０００４】
【特許文献１】特開平１１−２０３０８３号公報
【特許文献２】特開２００６−２１２９３０号公報
【発明の概要】
【発明が解決しようとする課題】
【０００５】
多くの企業は、会社名等にちなんだ企業ロゴまたは企業マークを独自に創作し使用している。このような企業ロゴまたは企業マークは、通常、カラー画像として創作される。この企業ロゴまたは企業マークは、しばしば、ビジネス文書のヘッダー部やフッター部に挿入される。この企業ロゴまたは企業マークは、企業の象徴（シンボル）であるため、企業イメージを大切にする企業は、企業ロゴまたは企業マークを正確にカラー出力することを希望する場合が多い。
【０００６】
しかしながら、特許文献１，２に記載されている画像形成装置によれば、企業ロゴまたは企業マーク（カラー画像）が含まれている場合、文書全体に占めるカラー画像の割合が低いにもかかわらず、カラー出力が禁止されていれば、カラー出力の許可を得た上でカラー出力するか、またはモノクロ出力を行わなければならない。
【０００７】
本発明は、上記の問題に鑑みてなされたものであり、カラー出力が禁止されている場合であっても、企業ロゴまたは企業マークについてカラー出力することができる画像形成装置を得ることを目的とする。
【課題を解決するための手段】
【０００８】
上記の課題を解決するために、本発明では以下のようにした。
【０００９】
本発明に係る画像形成装置は、画像のカラー出力を禁止するか否かを示す出力条件情報を予め登録する登録部と、入力画像データに企業ロゴまたは企業マークの画像データが含まれているか否かを、入力画像データに基づく画像内のオブジェクトの形状に対するパターンマッチングで判定する判定部と、判定部により入力画像データに企業ロゴまたは企業マークの画像データが含まれていると判定された場合、出力条件情報が画像のカラー出力を禁止することを示しているときは、入力画像データに含まれる企業ロゴまたは企業マークの画像データに基づく画像についてはカラーで、入力画像データに含まれる企業ロゴまたは企業マークの画像データ以外の画像データに基づく画像についてはモノクロで、入力画像データの画像出力を実行する画像出力部と、企業ロゴまたは企業マークの標準色情報を記憶する記憶部と、プリンターと、企業ロゴまたは企業マークの色の候補となる複数の色が配置されているシートをプリンターに印刷させ、当該シートに配置されている複数の色の中からユーザーによって選択された色を表す色情報を標準色情報として記憶部に記憶する設定部とを備える。標準色情報は、（ａ）企業ロゴまたは企業マークの画像データを構成する領域毎に記憶され、（ｂ）プリンターにより使用されるトナー色の色空間の値である。そして、画像出力部は、（ａ）プリンターでカラー出力およびモノクロ出力を実行し、（ｂ）企業ロゴまたは企業マークの画像データに基づく画像について、入力画像データ内の企業ロゴまたは企業マークの画像データによる色に拘わらず、領域毎の標準色情報が示す色によるカラー出力を実行する。さらに、設定部は、（ａ）企業ロゴまたは企業マークの画像であるロゴ画像が印刷されている登録用紙からスキャナーで読み取られたロゴ画像の色情報のＲＧＢ値から、プリンターにより使用されるトナー色の色空間の各要素についての、ロゴ画像の色情報の値を特定し、（ｂ）プリンターにより使用されるトナー色の色空間における各要素の値をロゴ画像の色情報の値から段階的に変化させたものを、シートに配置すべき、企業ロゴまたは企業マークの色の候補となる複数の色とする。また、
設定部は、ユーザー毎または部門毎に、画像のカラー出力を禁止するか否かを設定し、判定部は、入力画像データに企業ロゴまたは企業マークの画像データが含まれているか否かを、入力画像データに基づく画像内のオブジェクトの形状に対するパターンマッチングで判定する際に、オブジェクトの形状についての誤差を許容して判定する。
【００１０】
これにより、カラー出力が禁止されている場合であっても、企業ロゴまたは企業マークはカラー出力される。また、入力画像データに拘わらず、標準の色味で企業ロゴまたは企業マークをカラー出力することができる。また、ユーザーがシートに印刷された色から選択した色が標準色情報として登録されるため、企業ロゴまたは企業マークを印刷したときに、企業ロゴまたは企業マークの色が正確に再現される。また、企業ロゴまたは企業マークが複数の色で構成されている場合でも、標準の色味で企業ロゴまたは企業マークをカラー出力することができる。また、印刷物において企業ロゴまたは企業マークの色味を正確に再現することができる。
【００１１】
また、本発明に係る画像形成装置は、上記の画像形成装置に加え、次のようにしてもよい。この場合、記憶部は、企業ロゴまたは企業マークの画像の縦および横の画素数を示すロゴ特定情報を記憶し、判定部は、ロゴ特定情報により示される縦および横の画素数に合わせてオブジェクトのサイズを調整し、サイズ調整後のオブジェクトの形状に対するパターンマッチングで、入力画像データに企業ロゴまたは企業マークの画像データが含まれているか否かを判定する。
【００１２】
また、本発明に係る画像形成装置は、上記の画像形成装置に加え、次のようにしてもよい。この場合  企業ロゴまたは企業マークの画像データに基づきカラー出力される画像のサイズは、ロゴ特定情報により示されるサイズに変換される。
【００１９】
また、本発明に係る画像形成装置は、上記の画像形成装置に加え、次のようにしてもよい。この場合、判定部は、入力画像データのうち、ヘッダー部および／またはフッター部の画像データに対してのみ、企業ロゴまたは企業マークの画像データが含まれているか否かを判定する。
【００２０】
これにより、入力画像データに企業ロゴまたは企業マークの画像が含まれているか否かの判定の所要時間が短くなる。
【発明の効果】
【００２１】
本発明によれば、画像形成装置において、カラー出力が禁止されている場合でも、企業ロゴまたは企業マークについてはカラー出力される。
【図面の簡単な説明】
【００２２】
【図１】図１は、本発明の実施の形態に係る画像形成装置の構成を示すブロック図である。
【図２】図２は、図１に示す画像形成装置におけるロゴ画像の登録時の動作を説明するフローチャートである。
【図３】図３は、図１に示す画像形成装置におけるロゴ画像の登録に使用される登録用紙およびそのロゴ画像の一例を示す図である。
【図４】図４は、図１に示す画像形成装置において標準色情報の登録に使用される色見本シートの一例を示す図である。
【図５】図５は、図１に示す画像形成装置における画像出力時の動作を説明するフローチャートである。
【図６】図６は、コピーするロゴ画像および本体画像を含む原稿の一例を示す図である。
【発明を実施するための形態】
【００２３】
以下、図に基づいて本発明の実施の形態を説明する。
【００２４】
図１は、本発明の実施の形態に係る画像形成装置の構成を示すブロック図である。なお、「ロゴ」および「マーク」の用語は明確に区別して定義されているわけではないが、一般に、「ロゴ」とは、文字（文字列）、図形、記号、もしくはこれらの組み合わせ、またはこれらと色彩との組み合わせであって、企業や商品等を象徴するものをいい、「マーク」とは、図形、記号、符号等のことをいう。この実施の形態では、「企業ロゴまたは企業マーク」というときは、文字（文字列）、図形、記号、符号等、もしくはこれらの組み合わせ、またはこれらと色彩との組み合わせであって、企業や商品等を象徴するものをいう。また、この実施の形態では、「企業ロゴまたは企業マークの画像」のことを、単に「ロゴ画像」という。
【００２５】
このように、「企業ロゴまたは企業マーク」は、文字（文字列）、図形、記号等の要素が単独で用いられたものであっても、これらの要素が組み合わされたものであってもよい。また、「企業ロゴまたは企業マーク」は、上記の要素または上記の要素の組み合わせと色彩とが組み合わされたものであってもよい。また、「企業ロゴまたは企業マーク」は、上記の要素または上記の要素の組み合わせが図案化・装飾化されたものであっても、図案化・装飾化されていないものであってもよい。なお、図案化・装飾化された文字・文字列のことを「ロゴタイプ」といい、この「ロゴタイプ」も「企業ロゴまたは企業マーク」に含まれる。
【００２６】
図１に示す画像形成装置１は、演算処理部１０、記憶部２０、ネットワークインターフェイス３１、操作パネル３２、ディスプレイ４１、スキャナー４２、およびプリンター４３を備える。
【００２７】
演算処理部１０は、ＣＰＵ（Central Processing Unit ）、ＲＯＭ（Read Only Memory）、ＲＡＭ（Random Access Memory）などを含み、ＲＯＭや図示せぬ記憶装置などからＲＡＭへプログラムをロードし、そのプログラムをＣＰＵで実行することにより、各種処理部を実現する。この実施の形態では、演算処理部１０において、ジョブ管理部１１、出力条件設定部１２、出力条件判定部１３、および画像処理部１４が実現される。
【００２８】
ジョブ管理部１１は、操作パネル３２またはネットワーク５０に接続されている他の装置（図示せず）からのジョブ実行要求を受け付けて、順番にジョブを実行する。ジョブ実行要求としては、プリント要求、コピー要求、スキャン画像等のボックス保存要求などがある。
【００２９】
出力条件設定部１２は、操作パネル３２またはネットワーク５０に接続されている他の装置から送信される、管理者等による設定要求に基づき、画像のカラー出力を禁止するか否かを示す出力条件情報を入力し、入力した出力条件情報を記憶部２０に記憶する。なお、画像のカラー出力を禁止するか否かは、ユーザー毎または部門（ユーザーのグループ）毎に設定することができる。ユーザー毎に画像のカラー出力を禁止するか否かを設定する場合は、ユーザーを識別するＩＤに対応付けて出力条件情報が設定され、部門毎に画像のカラー出力を禁止するか否かを設定する場合は、部門を識別するＩＤに対応付けて出力条件情報が設定される。なお、部門のＩＤとその部門に属するユーザーのＩＤとは関連付けられており、ユーザーのＩＤから、そのユーザーの属する部門の出力条件情報を参照可能である。
【００３０】
また、出力条件設定部１２は、登録処理において、スキャナー４２で読み取られたロゴ画像の画像データを記憶部２０に記憶する。また、出力条件設定部１２は、スキャナー４２で読み取られたロゴ画像の画像データから、ロゴ画像を特定するロゴ特定情報を抽出し、抽出したロゴ特定情報を記憶部２０に記憶する。この実施の形態において、ロゴ特定情報は、ロゴ画像の色情報、ロゴ画像の縦および横の大きさ（縦の画素数および横の画素数）の情報、ロゴ画像の形状情報（ビットマップ、ベクトルデータなど）などを含む。なお、この実施の形態では、主走査方向のことを「横」といい、副走査方向のことを「縦」という。
【００３１】
また、出力条件設定部１２は、ユーザーによる操作パネル３２の操作に応じて、印刷される場合のロゴ画像の色として、ユーザーが希望する最適な色を示す標準色情報を記憶部２０に記憶する。
【００３２】
出力条件判定部１３は、記憶部２０から読み出した入力画像データの色情報に基づいて、入力画像データ中にカラー画像の画像データが含まれているか否かを判定する。
【００３３】
また、出力条件判定部１３は、ロゴ特定情報に基づき、パターンマッチングなどで、入力画像データ中にロゴ画像の画像データが含まれているか否かを判定する。このとき、出力条件判定部１３は、入力画像データのすべての画像データを、ロゴ画像の画像データの検索対象とはせずに、入力画像データのうち、用紙のヘッダー部（用紙の上部にある、本体部とは別の所定サイズの領域）およびフッター部（用紙の下部にある、本体部とは別の所定サイズの領域）のいずれか一方または両方の画像データを、ロゴ画像の画像データの検索対象とする。これにより、用紙の本体部にあるロゴ画像が意図せずカラー出力され、用紙の本体部にあるロゴ画像以外の画像（例えば、文書、図形等の画像）がモノクロ出力されるという事態が防止される。
【００３４】
また、出力条件判定部１３は、出力条件情報が画像のカラー出力を禁止することを示しているか否かを判定する。なお、上述したように、画像のカラー出力を禁止するか否かについて、出力条件設定部１２がユーザー毎または部門毎に設定することができるので、出力条件判定部１３もユーザー毎および／または部門毎に、画像のカラー出力を禁止するか否かを判定する。
【００３５】
画像処理部１４は、コピージョブ、印刷ジョブなどの画像出力ジョブに基づいて画像データの画像処理を実行する。また、画像処理部１４は、画像処理を実行した画像データをプリンター４３に出力し、プリンター４３において画像データに基づく画像を印刷させる。
【００３６】
この実施の形態では、画像処理部１４は、画像データの画像処理として、出力条件判定部１３の判定結果に応じて、すなわち、画像データにカラー画像の画像データが含まれているか否か、画像データにロゴ画像の画像データが含まれているか否か、および画像出力ジョブの要求元であるユーザーに対して出力条件情報が画像のカラー出力を禁止することを示しているか否かに応じて、ロゴ画像および本体画像（図形、グラフ、文書などの、ロゴ画像以外の画像）についての出力態様（カラー出力またはモノクロ出力）を決定し、決定した出力態様に基づいてロゴ画像および本体画像の画像出力を実行する。
【００３７】
記憶部２０は、各種データを格納可能な装置である。記憶部２０には、出力条件設定部１２により設定される出力条件情報、ロゴ特定情報、標準色情報などが記憶される。また、記憶装置２０には、コピージョブ、印刷ジョブなどの画像出力ジョブで生成される、印刷画像の画像データが記憶される。記憶装置２０としては、不揮発性メモリー、ハードディスクドライブなどの不揮発性の大容量記憶媒体が使用される。
【００３８】
ネットワークインターフェイス３１は、ネットワーク５０に接続され、そのネットワーク５０に接続された他の装置とデータ通信を行う回路である。
【００３９】
操作パネル３２は、画像形成装置１の筐体表面に配置され、ユーザーに対して各種情報を表示する表示装置と、ユーザー操作を検出する入力装置とを有する。表示装置としては例えば液晶ディスプレイが使用される。入力装置としては、キースイッチ、タッチパネルなどが使用される。
【００４０】
ディスプレイ４１は、画像データに基づいて画像を表示画面に表示する装置である。スキャナー４２は、画像を光学的に読み取り、その画像の画像データを生成する装置である。プリンター４３は、画像データに基づいて画像を印刷する装置である。
【００４１】
次に、上記画像形成装置の動作について説明する。
【００４２】
画像形成装置１を複数のユーザーで使用する場合、一般に、画像形成装置１の管理を行う管理者（管理者は複数人であってもよい）が設定される。この管理者は、ユーザー毎や部門毎の画像出力の条件設定を行う権限を有している。したがって、この管理者は、画像形成装置１の使用環境に応じて、あるユーザーまたはある部門に対してはカラー出力を許可したり、他のユーザーまたは他の部門に対してはカラー出力を禁止することができる。
【００４３】
管理者は、カラー出力の許可・禁止を設定する場合、操作パネル３２を操作するかまたはネットワーク５０に接続されている他の装置を操作することによって、ユーザー毎または部門毎に、画像のカラー出力を禁止するか否かを示す出力条件情報の設定要求を画像形成装置１の演算処理部１０に入力する。演算処理部１０の出力条件設定部１２は、その設定要求を受け付けると、その出力条件情報を記憶部２０に記憶する。
【００４４】
次に、ロゴ画像の登録について説明する。図２は、図１に示す画像形成装置におけるロゴ画像の登録時の動作を説明するフローチャートである。
【００４５】
（１）ロゴ画像の登録：
ユーザー（または管理者）は、登録したいロゴ画像のみを含む登録用紙を事前に作成する。図３は、ロゴ画像の登録に使用される登録用紙およびそのロゴ画像の一例を示す図である。ユーザー（または管理者）は、ロゴ画像の画像データを画像形成装置１に登録する場合、画像形成装置１のスキャナー４２を作動させて、図３（Ａ）に示すようなロゴ画像６１が印刷された登録用紙６０をスキャナー４２に取り込ませる。なお、図３（Ａ）に示す例では、登録用紙６０にはロゴ画像６１以外の画像が印刷されていないので、ロゴ画像以外の画像は読み取られない。
【００４６】
スキャナー４２が登録用紙６０に印刷されているロゴ画像６１を読み取ると（ステップＳ１）、演算処理部１０の出力条件設定部１２は、スキャナー４２で読み取られたロゴ画像６１の画像データを記憶部２０に記憶する（ステップＳ２）。また、出力条件設定部１２は、スキャナー４２で読み取られたロゴ画像６１の画像データから、ロゴ画像６１を特定するロゴ特定情報を抽出し、抽出したロゴ特定情報を記憶部２０に記憶する（ステップＳ２）。
【００４７】
図３（Ｂ）に示すロゴ特定情報の例では、ロゴ画像６１の縦の大きさの情報が、ロゴ画像６１の縦の画素数ＸＸＸとなっている。また、ロゴ画像６１の横の大きさの情報が、ロゴ画像６１の横の画素数ＹＹＹとなっている。また、ロゴ画像６１の色情報として、例えば、Ｒ（赤），Ｇ（緑），Ｂ（青）の各色を２５６階調で表現する色空間を用いており、Ｒ（赤）が２００、Ｇ（緑）が３０、Ｂ（青）が１０となっている。
【００４８】
（２）カラー出力するロゴ画像の標準色情報の登録：
スキャナー４２がロゴ画像６１の色を正確に読み取れなかった場合や、登録用紙６０上のロゴ画像６１の色が正確でない場合（つまり、創作時の色味である標準色と異なる場合）、ロゴ特定情報の色情報に基づいてカラー出力されるロゴ画像６１の色と、ロゴ画像６１の標準色との間でずれが生じてしまう。この場合、ロゴ画像６１の色を正確に標準色でカラー出力したいというユーザーの希望に応えることができない。そこで、この実施の形態では、以下に示すように、ユーザーがカラー出力を希望するロゴ画像６１の色を表す標準色情報を登録できるように構成している。
【００４９】
出力条件設定部１２は、ロゴ特定情報が登録されると、複数の色の見本色パッチが配置された色見本シートをプリンター４３に印刷させる（ステップＳ３）。図４は、色見本シートの一例を示す図である。このとき、出力条件設定部１２は、ロゴ特定情報の色情報に基づく色を特定し、特定した色に近い周辺の色の見本色パッチを複数選択する。
【００５０】
例えば、上述したように、ロゴ特定情報の色情報として、Ｒ（赤）が２００、Ｇ（緑）が３０、Ｂ（青）が１０となっている場合（つまり、少し暗い赤色であった場合）、出力条件設定部１２は、このロゴ特定情報の色情報のＲＧＢの値に対応する、Ｃ（Cyan），Ｍ（Magenta），Ｙ（Yellow），Ｋ（Black）で表現する色空間における各要素（Ｃ，Ｍ，Ｙ，Ｋ）の値を特定する。そして、出力条件設定部１２は、特定した各要素（Ｃ，Ｍ，Ｙ，Ｋ）の値を段階的に所定の範囲まで変化させていくことにより、予め登録されている色の見本色パッチ（特定されたロゴ画像の色に近い周辺の色の見本色パッチ）を段階的に選択していく。そして、出力条件設定部１２は、選択した色の見本色パッチを段階的に色が変化していくように配置して、図４に示すような色見本シート７０の画像データを生成する。次に、出力条件設定部１２は、生成した画像データをプリンター４３に出力し、プリンター４３において色見本シート７０を印刷させる。
【００５１】
図４に示す色見本シート７０の例では、ロゴ特定情報の色情報に基づいて特定された色よりも暗い色の見本色パッチ７１、その見本色パッチ７１よりは少し明るい色の見本色パッチ７２、ロゴ特定情報の色情報に基づいて特定された色（または特定された色に最も近い色）の見本色パッチ７３、その見本色パッチ７３よりも明るい色の見本色パッチ７４、その見本色パッチ７４よりも明るい色の見本色パッチ７５・・・というような複数の色の見本色パッチ（図４に示す例では３０個の色の見本色パッチ）が印刷されている。また、図４に示すように、各々の見本色パッチ７１，７２，７３，７４，７５，・・・にはそれぞれ番号（＃１，＃２，＃３，＃４，＃５・・・）が対応付けられ、これらの番号も印刷されている。ユーザーは、カラー出力したい標準色を、色見本シート７０内の見本色パッチ７１，７２，７３，・・・から選択し、その色の見本色パッチの番号を、操作パネル３２を操作して入力する。出力条件設定部１２は、ユーザーが選択した色の見本色パッチの番号に対応する色を示す色情報を標準色情報（ＣＭＹＫ値）として、ロゴ画像の画像データおよびロゴ特定情報に対応付けて記憶部２０に記憶する（ステップＳ４）。これにより、標準色情報が登録される。なお、記憶部２０には、見本色パッチ７１，７２，７３，・・・の番号とＣＭＹＫ値が予め記憶されており、出力条件設定部１２は、それらを読み出して、色見本シート７０の画像データを生成する。
【００５２】
なお、標準色情報をＣ，Ｍ，Ｙ，Ｋ色空間の値で登録するようにしているのは、プリンター４３により使用されるトナー色の色空間の値がＣ，Ｍ，Ｙ，Ｋ色空間の値であるからである。すなわち、仮に、標準色情報をＲ，Ｇ，Ｂ色空間の値で登録すると、ロゴ画像を標準色で印刷する際に、標準色情報として登録されているＲ，Ｇ，Ｂ色空間の値を、トナー色の色空間であるＣ，Ｍ，Ｙ，Ｋ色空間の値に変換する必要がある。そして、このときに色味のずれが生じてしまうおそれがある。したがって、このような事態が生じることを防止するために、標準色情報をＣ，Ｍ，Ｙ，Ｋ色空間の値で登録するようにしている。
【００５３】
一方、ユーザーは、カラー出力したい標準色が色見本シート７０に印刷されている複数の色の見本色パッチ７１，７２，７３，・・・の中にない場合や、予め標準色のＣ，Ｍ，Ｙ，Ｋ色空間の値がわかっている場合は、操作パネル３２を操作して、Ｃ，Ｍ，Ｙ，Ｋ色空間の値を標準色情報として入力するようにしてもよい。例えば、テンキーを操作して、Ｃが０、Ｍが２４０、Ｙが３０、Ｋが０と入力する。出力条件設定部１２は、ユーザーが入力した標準色情報（ＣＭＹＫ値）を、ロゴ画像の画像データおよびロゴ特定情報に対応付けて記憶部２０に記憶する（ステップＳ４）。これにより、標準色情報が登録される。
【００５４】
図５は、図１に示す画像形成装置における画像出力時の動作を説明するフローチャートである。
【００５５】
なお、図５では、演算処理部１０のジョブ管理部１１がジョブ実行要求としてコピー要求を受け付けて、コピージョブを実行する場合について説明する。また、図６は、コピーするロゴ画像および本体画像を含む原稿の一例を示す図である。図６において、コピー対象の原稿１００の上端から副走査方向に所定サイズの領域がヘッダー部１１０であり、原稿１００の下端から副走査方向に所定サイズ進んだ領域がフッター部１３０である。また、原稿１００におけるヘッダー部１１０およびフッター部１３０以外の領域が本体部１２０である。図６に示す例では、原稿１００のヘッダー部１１０には、ロゴ画像１１１が印刷され、原稿１００の本体部１２０には、図形や文章などからなる本体画像１２１が印刷されている。
【００５６】
ユーザーは、コピーを実行する場合、図６に示すような各種画像が印刷されている原稿１００をスキャナー４２にセットし、操作パネル３２を操作してコピージョブを実行させる。ジョブ管理部１１は、コピー要求を受け付けてコピージョブを開始すると、スキャナー４２に原稿１００の画像を読み取らせる。スキャナー４２は、原稿１００の画像を読み取り、読み取った画像の画像データを記憶部２０に記憶する。
【００５７】
出力条件判定部１３は、コピージョブの対象である画像データを入力画像データとして記憶部２０から読み出し（ステップＳ１１）、その入力画像データにカラー画像の画像データが含まれているか否かを判定する（ステップＳ１２）。ここで、入力画像データ内のカラー画像の画像データは、入力画像データの各画素の色情報にもとづいて検出することができる。すなわち、入力画像データの各画素の色情報がすべてモノクロを示しているときは、カラー画像の画像データを含まないと判断することができ、入力画像データの各画素の色情報の少なくとも一部がモノクロを示していないときは、カラー画像の画像データを含むと判断することができる。
【００５８】
出力条件判定部１３が入力画像データ中にカラー画像の画像データを検出しなかった場合、つまり、出力条件判定部１３が入力画像データにカラー画像の画像データが含まれていないと判定した場合（ステップＳ１３）、画像処理部１４は、原稿１００の画像をモノクロ出力する（ステップＳ２０）。
【００５９】
出力条件判定部１３が入力画像データ中にカラー画像の画像データを検出した場合、つまり、出力条件判定部１３が入力画像データにカラー画像の画像データが含まれていると判定した場合（ステップＳ１３）、出力条件判定部１３は、入力画像データのうち、原稿１００のヘッダー部１１０およびフッター部１３０のいずれか一方または両方の画像データにロゴ画像の画像データが含まれているか否か判定する（ステップＳ１４）。
【００６０】
ここで、出力条件判定部１３は、入力画像データ（ここでは、ヘッダー部１１０および／またはフッター部１３０の画像データ）に基づく画像内のオブジェクトを検出する。そして、出力条件判定部１３は、検出した各オブジェクトについて、オブジェクトの縦および横の画素数を、ロゴ特定情報に予め登録されているロゴ画像の縦および横の画素数（図３に示す例では、縦：ＸＸＸ、横：ＹＹＹ）に合わせて、オブジェクトのサイズ（大きさ）を調整する。次に、出力条件判定部１３は、各オブジェクトの形状（もしくは、形状および色）とロゴ特定情報に予め登録されているロゴ画像の形状（もしくは、形状および色）とを比較してパターンマッチングを行うことにより、入力画像データ中にロゴ画像の画像データが含まれているか否か検出する。
【００６１】
この場合、出力条件判定部１３は、オブジェクトのサイズおよび形状がロゴ画像のサイズおよび形状と完全に一致している場合の他、オブジェクトのサイズがロゴ画像のサイズと異なるが、オブジェクトの形状がロゴ画像の形状と一致している場合（つまり、オブジェクトの形状がロゴ画像の形状と相似の場合）も、入力画像データ中にロゴ画像の画像データが含まれていると判定する。また、出力条件判定部１３は、オブジェクトの形状（もしくは、形状および色）について多少の誤差を許容して、入力画像データ中にロゴ画像の画像データが含まれていると判定する。
【００６２】
図６に示すように、ヘッダー部１１０にロゴ画像１１１が存在する場合、出力条件判定部１３によりロゴ画像１１１が検出される。出力条件判定部１３が入力画像データ中にロゴ画像の画像データを検出した場合、つまり、出力条件判定部１３が入力画像データにロゴ画像の画像データが含まれていると判定した場合（ステップＳ１５）、出力条件判定部１３は、記憶部２０に予め登録されている出力条件情報を読み出し、読み出した出力条件情報に基づいて、コピー要求を行ったユーザーに対してカラー出力が禁止されているか否かを判定する（ステップＳ１６）。カラー出力が禁止されていないユーザーであれば、画像処理部１４は、原稿１００の画像をカラー出力する（ステップＳ１７）。
【００６３】
このとき、標準色情報が登録されている場合は、原稿１００の画像データがＣＭＹＫ値へ色変換された後、カラー出力されるロゴ画像１１１の色は、その標準色情報が示す色に変換される。なお、このとき、カラー出力されるロゴ画像１１１の大きさは、ロゴ特定情報におけるロゴ画像の縦および横の大きさの情報（縦の画素数および横の画素数）が示す大きさに変換されるようにしてもよい。また、標準色情報が登録されていない場合は、カラー出力されるロゴ画像１１１の色は、ロゴ特定情報の色情報が示す色に変換される（あるいは、ステップＳ１１で入力したときの画像データのまま変換しなくてもよい）。
【００６４】
一方、カラー出力が禁止されているユーザーであれば、画像処理部１４は、ロゴ画像１１１をカラーとし本体画像１２１をモノクロとして、入力画像データから、色変換後のＣＭＹＫ値の画像データを生成し出力する（ステップＳ１８）。このときも、標準色情報が登録されている場合は、カラー出力されるロゴ画像１１１の色は、その標準色情報が示す色に変換される。なお、このときも、ロゴ画像１１１の大きさは、ロゴ特定情報におけるロゴ画像の縦および横の大きさの情報（縦の画素数および横の画素数）が示す大きさに変換されるようにしてもよい。また、標準色情報が登録されていない場合は、カラー出力されるロゴ画像１１１の色は、ロゴ特定情報の色情報が示す色に変換される（あるいは、ステップＳ１１で入力したときの画像データのまま変換しなくてもよい）。
【００６５】
一方、原稿１００にロゴ画像が含まれていない場合、原稿１００からはロゴ画像は検出されない。出力条件判定部１３が入力画像データ中にロゴ画像の画像データを検出しなかった場合、つまり、出力条件判定部１３が画像データにロゴ画像の画像データが含まれていないと判定した場合（ステップＳ１５）、出力条件判定部１３は、記憶部２０から出力条件情報を読み出し、読み出した出力条件情報に基づいて、コピー要求を行ったユーザーに対してカラー出力が禁止されているか否かを判定する（ステップＳ１９）。カラー出力が禁止されているユーザーであれば、画像処理部１４は、原稿１００の画像をモノクロ出力する（ステップＳ２０）。一方、カラー出力が禁止されていないユーザーであれば、画像処理部１４は、原稿１００の画像をそのままカラー出力する（ステップＳ２１）。
【００６６】
なお、図５においては、コピージョブを実行する場合について説明したが、印刷ジョブを実行する場合においても、同様の処理を実現することが可能である。
【００６７】
以上のように、上記実施の形態によれば、出力条件設定部１２は、画像のカラー出力を禁止するか否かを示す出力条件情報を予め登録する。出力条件判定部１３は、入力画像データにロゴ画像（企業ロゴまたは企業マークの画像）の画像データが含まれているか否かを判定する。画像処理部１４は、出力条件判定部１３により入力画像データにロゴ画像の画像データが含まれていると判定された場合、出力条件情報が画像のカラー出力を禁止することを示しているときは、ロゴ画像についてはカラーで、ロゴ画像以外の本体画像についてはモノクロで、入力画像データの画像出力を実行する。
【００６８】
これにより、カラー出力が禁止されているユーザーからの画像出力の要求であっても、ロゴ画像についてはカラー出力される。
【００６９】
なお、上述の実施の形態は、本発明の好適な例であるが、本発明は、これらに限定されるものではなく、本発明の要旨を逸脱しない範囲において、種々の変形、変更が可能である。
【００７０】
例えば、上記実施の形態において、図２のステップＳ３において、ユーザーがカラー出力したい色を示す標準色情報を登録するようにしているが、この場合、ユーザーがロゴ画像の画素毎または領域毎に標準色情報を登録するようにしてもよい。例えば、ロゴ画像が三角や四角の図形と文字列で構成されている場合に、ユーザーは、操作パネル３２を操作するなどして（例えば、色見本シート７０上の所定の見本色パッチの番号を選択するか、直接ＣＭＹＫ値を入力するなどして）、三角の図形の画像の標準色情報、四角の図形の画像の標準色情報、および文字列の画像の標準色情報がそれぞれ異なる標準色となるように登録する。このような構成によれば、ロゴ画像が複数の色で構成されている場合でも、標準の色味でロゴ画像をカラー出力することができる。
【００７１】
また、上記実施の形態において、出力条件判定部１３は、原稿のヘッダー部やフッター部においてロゴ画像が存在するか否かを判定するように構成されていたが、原稿全体においてロゴ画像が存在するか否かを判定するように構成されていてもよい。その場合、ステップＳ１４において、出力条件判定部１３は、入力したすべての入力画像データからオブジェクトを検出し、検出した各オブジェクトについてサイズを調整する処理およびパターンマッチング処理を実行するように構成すればよい。
【産業上の利用可能性】
【００７２】
本発明は、例えば、プリンター、複写機、複合機などの画像形成装置に適用可能である。
【符号の説明】
【００７３】
１  画像形成装置
１２  出力条件設定部（登録部の一例、設定部の一例）
１３  出力条件判定部（判定部の一例）
１４  画像処理部（画像出力部の一例）
２０  記憶部
４３  プリンター
【図１】
0005840065.tif 000002
【図２】
0005840065.tif 000003
【図３】
0005840065.tif 000004
【図４】
0005840065.tif 000005
【図５】
0005840065.tif 000006
【図６】
0005840065.tif 000007